(57)【要約】【課題】テーブル上に載置される機器やデータの存在する場所、送るべき信号や受信すべき信号の送受信信過程を明確にして、ユーザにわかりやすく確実な信号の送受信をすることができるデジタルプラットフォーム装置を提供することである。【解決手段】スクリーン１５上に載置されたカメラ３１とプリンタ３５の位置が位置検出部２３によって検出され、所定の命令操作に応じて、該カメラ３１から通信部２５を介して画像データがプリンタ３５に転送される。画像データの転送に際して、スクリーン１５上のカメラ３１の位置とプリンタ３５の位置との間には、画像データの転送経過を示す画像が表示される。【選択図】図７
2011238243.tif 000002
【特許請求の範囲】
【請求項１】
デジタルプラットフォーム装置に対して画像データを送信する送信手段の位置を検出する位置検出手段と、
上記画像データを受信可能な受信部を表わした領域を表示する表示制御手段と、
上記位置検出手段で位置が検出された上記送信手段から上記受信部に上記画像データを転送制御する制御手段と、
上記制御手段によって上記受信部に転送される上記画像データに対応する画像の転送経過を示す画像を、上記送信手段の位置から上記領域の位置の間に表示する表示手段と、
を具備することを特徴とするデジタルプラットフォーム装置。
【請求項２】
上記送信手段を有する機器の種別を判定する機器種別判定手段と、
上記機器種別判定手段の判定に従って、上記機器を特定する通信を行う通信手段と、
上記通信手段からの通信の結果に従って上記機器の種別を確定する確定手段と、
を更に具備することを特徴とする請求項１に記載のデジタルプラットフォーム装置。
【請求項３】
上記送信手段の位置から上記受信部を表わした領域の位置の間に表示された画像の位置に対応するユーザの操作を検出して判定する操作判定手段を更に具備し、
上記制御手段は、上記操作判定手段で判定されたユーザの操作結果に基づいて、上記送信手段から上記受信部に上記画像データを転送制御することを特徴とする請求項１に記載のデジタルプラットフォーム装置。
【請求項４】
上記表示手段は、上記位置検出手段によって検出された上記送信手段の位置の近傍に上記送信手段が送信する画像データに対応する画像を表示することを特徴とする請求項１に記載のデジタルプラットフォーム装置。
【請求項５】
上記表示手段は、上記受信部を表わした領域の位置の近傍に上記受信部に入力される画像データに対応する画像を表示することを特徴とする請求項１に記載のデジタルプラットフォーム装置。
【請求項６】
上記表示手段は光拡散性を有する半透明部材で構成されることを特徴とする請求項１に記載のデジタルプラットフォーム装置。
【発明の詳細な説明】
【技術分野】
【０００１】
本発明はデジタルプラットフォーム装置に関し、より詳細には、画像データをより扱いやすくするためのユーザインターフェースの改良に関する発明である。
【背景技術】
【０００２】
近年、すでにテーブル型ディスプレイとして、プロジェクタを利用したテーブル状のディスプレイに画像データを表示して、複数の人が楽しめる表示手段を提供するテーブル型ディスプレイ装置が提案されている。
そして、例えば、プロジェクタから投与された光束をミラーで反射して水平設置型のスクリーンの所定領域に投与するテーブル型ディスプレイであって、上記スクリーンを、撓みを少なくするための透明ベース部材と、像を結像する拡散スクリーンとで構成した装置が知られている（例えば、特許文献１参照）。
【先行技術文献】
【特許文献】
【０００３】
【特許文献１】特開２００４−１２７１２号公報
【発明の概要】
【発明が解決しようとする課題】
【０００４】
ところで、テーブル型ディスプレイでは、そのテーブル上に機器を載置することができるが、上記特許文献１に記載の装置では、その点までは言及されていないものであった。したがって、テーブル上に載置された機器から、該機器に収納されている画像データを近傍に表示して、データを簡単に確認できるといった工夫が必要となる。
【０００５】
加えて、従来は、データを授受する場合、送信装置と受信装置との間には、単なる信号線や電波や光通信を行うための空間があるだけで、その送受信の関係が不明瞭なため、ユーザにわかりにくいものとなっていた。
したがって本発明は、テーブル上に載置される機器やデータの存在する場所、送るべき信号や受信すべき信号の送受信信過程を明確にして、ユーザにわかりやすく確実な信号の送受信をすることができるデジタルプラットフォーム装置を提供することを目的とする。
【課題を解決するための手段】
【０００６】
すなわち請求項１に記載の発明は、デジタルプラットフォーム装置に対して画像データを送信する送信手段の位置を検出する位置検出手段と、上記画像データを受信可能な受信部を表わした領域を表示する表示制御手段と、上記位置検出手段で位置が検出された上記送信手段から上記受信部に上記画像データを転送制御する制御手段と、上記制御手段によって上記受信部に転送される上記画像データに対応する画像の転送経過を示す画像を、上記送信手段の位置から上記領域の位置の間に表示する表示手段とを具備することを特徴とする。
【発明の効果】
【０００７】
本発明によれば、テーブル上に載置される機器やデータの存在する場所、送るべき信号や受信すべき信号の送受信信過程を明確にして、ユーザにわかりやすく確実な信号の送受信をすることができるデジタルプラットフォーム装置を提供することができる。
また、面倒な設定を要せず、直感的にデータ操作を行うことができる。
【図面の簡単な説明】
【０００８】
【図１】本発明の第１の実施形態によるデジタルプラットフォーム装置の構成を示すブロック図である。
【図２】ユーザが図１のデジタルプラットフォーム装置を操作する際の例を示した図である。
【図３】第１の実施形態によるデジタルプラットフォーム装置のメインの動作を説明するフローチャートである。
【図４】図２の記録領域に作成されるアルバムの例を示した図である。
【図５】第１の実施形態に於けるタッチパネルの構成例を示した図である。
【図６】第１の実施形態に於ける表示装置部の他の構成例を示した図である。
【図７】本発明の第２の実施形態によるデジタルプラットフォーム装置の構成を示した図である。
【図８】第２の実施形態のデジタルプラットフォーム装置による画像データ表示動作を説明するフローチャートである。
【図９】第２の実施形態によるデジタルプラットフォーム装置に於ける各機器の検出の方法について説明する図である。
【図１０】図８のフローチャートのステップＳ２１に於けるサブルーチン“カメラ位置検出ＰC ”の動作を説明するフローチャートである。
【図１１】図８のフローチャートのステップＳ２２に於けるサブルーチン“プリンタ位置検出ＰP ”の動作を説明するフローチャートである。
【図１２】本発明の第２の実施形態の変形例で、ストレージ５０に蓄積されている画像を、プロジェクタ５１によってスクリーン上に表示する例を示した図である。
【図１３】スクリーン上に載置される機器の位置検出の他の例を示したもので、（ａ）は機器としてのカメラの下面部に２次元バーコードを設けた例を示した図、（ｂ）はカメラの下面部にＩＣタグを設けた例を示した図、（ｃ）はカメラの下面部に赤外線通信器を設けた例を示した図である。
【図１４】図１３（ａ）に示されるようなバーコードを読み取るタイプのデジタルプラットフォーム装置に於けるカメラの位置検出システムの構成例を示した図である。
【図１５】図１４に示される構成のカメラの位置検出システムによるバーコード検出の動作を説明するフローチャートである。
【図１６】本発明の第１及び第２の実施形態の更なる変形例を示すもので、フラットパネルディスプレイを使用して仮想テーブルとして用いた例を示した図である。
【発明を実施するための形態】
【０００９】
以下、図面を参照して本発明に係る撮影装置の実施形態を説明する。
（第１の実施形態）
図１は、本発明の第１の実施形態によるデジタルプラットフォーム装置の構成を示すブロック図である。
図１に於いて、テーブル型スクリーン装置１０は、表示装置部１１と、このテーブル型スクリーン装置１０の全体の制御動作を司る制御手段として、マイクロコントローラから成る制御部２０と、表示制御部２１と、位置検出手段である位置検出部２３と、操作判定手段である操作判定部２４と、インターフェース手段である通信部２５と、記録部２６と、プリンタ２７とを有して構成されている。上記表示装置部１２は、画像を投影するもので投影手段（受信装置、受信手段）としてのプロジェクタ１３と、投影像をスクリーン１５５に導くためのミラー１４と、表示手段としてのスクリーン１５と、表面センサ部（平面部）として構成されるタッチパネル１６と、から構成されている。
【００１０】
上記スクリーン１５は、実際には、スクリーン上に力を加えた時にテーブルが撓まないようにするために、所定の厚さをもった透明ベース部と、拡散スクリーン部とから構成されている。このように所定の強度を有するので、タッチパネル１６を押しても、また、後述するようにカメラ３１等の機器を載置して押す力が加わっても、スクリーン１５が撓んだり、壊れたりしないようにしている。
【００１１】
タッチパネル１６は、スクリーン１５上で機器やユーザの指の動きを検出するためのタッチスイッチである。このタッチパネル１６は、パネル上を押す力によって電気特性が変化するものが利用される。
上記表示制御部２１は、プロジェクタ１３により投影される画像を制御する。位置検出部２３は、後述するようにカメラ３１が載置されたスクリーン１５上の位置を検出し、操作判定部２４はタッチパネル１６の押されている位置を検出して判定するためのものである。また、通信部２５はスクリーン１５上に載置されたカメラ３１とデータ通信して、カメラ内の画像処理回路によって圧縮保存された画像データを受信するものである。
【００１２】
上記記録部２６は、上記通信部２５を介してカメラ３１より取り込まれた画像を記録するためのものであり、例えばアルバム用の記録部を構成している。上記プリンタ２７は、取得された画像を用紙等に出力するためのものである。
このような構成に於いて、ユーザ３０が、送信装置として撮影済みで画像データを有するカメラ３１をテーブル状スクリーン１５の上に載置する。すると、タッチパネル１６が反応してカメラ３１の位置を検出する。そして、テーブル状スクリーンの通信部２５がカメラ３１の通信部と通信を開始し、制御部２０により、その撮影データが表示装置部１１に表示することができるようになっている。
【００１３】
すなわち、表示装置部１１に於いて、画像は制御部２０によって表示制御部２１を介してプロジェクタ１３により投影され、ミラー１４で反射されたスクリーン１５に表示される。ここで、プロジェクタ１３により投影される画像は、カメラ３１から取得された画像そのものではなく、そのカメラ３１の画像を含んだ画像である。加えて、プロジェクタ１３から投影された画像は、図２に示されるように、カメラ３１の近傍に見えるようにレイアウトされたものとなっている。
【００１４】
上記スクリーン１５上のタッチパネル１６は、カメラ３１の位置も検出できるようになっていて、カメラ３１から取得された画像データに対応した画像は、カメラ３１の近くに表示されるように制御される。また、この場合、図２に示されるように、所定の位置にアルバム保存用の記録領域２６ａが設けられている。ユーザ３０が、スクリーン１５上の任意の画像３３を指でドラッグして、上記記録領域２６ａの位置に持ってくると、当該画像がアルバム用の記録部２６に記録できるようにしている。この際、カメラ３１から記録領域２６ａに、画像３３が流れるように移動される。例えば、複数の画像が移動される場合は、スライド表示のように順次カメラ３３から記録領域２６ａに向かって移動される。このような応用も可能である。
【００１５】
このようなドラッグ機能を実現するため、スクリーン１５には、ユーザの指の位置を検出するべく、タッチパネルの押されている位置を検出して判定する操作判定部２４を有している。この操作判定部２４でタッチパネル１６が押されていると判定された場合は、制御部２０は、その判定結果に基づいて、あたかも画像３３がスクリーン１５上で引き摺られていくように、表示制御部２１を制御して表示を切り替える。
【００１６】
また、画像３３をアルバムに保存する際には、記録部２６に、画像３３に対応した画像データを記録できるように制御を行う。つまり、制御部２０は、カメラ３１の位置やユーザ３０による操作入力を、タッチパネル１６と位置検出部２３及び操作判定部２４によって検出する。そして、通信部２５によって入力された画像データを、上述したカメラ３１等の機器の位置や上述した操作に従って取り込み、表示制御部２１を制御することにより、上述の操作に従った位置に対応する画像を表示する。
【００１７】
図３は、こうした制御部２０がコントロールするプログラムに従った動作を説明するフローチャートである。
テーブル型スクリーン装置１０の図示されない電源スイッチがオンされると、ステップＳ１に於いて、スクリーン１５上にカメラ３０が載置されたか否かが判定される。ユーザ３０がカメラ３１をテーブル状スクリーン１５の上に載置すると、その時の押圧力の変化からカメラが載置されたことが検出される。すると、タッチパネル１６の押圧された位置に応じて、ステップＳ２にてカメラ位置が位置検出部２３により検出される。
【００１８】
次いで、ステップＳ３にて、通信部２５によってカメラ３１内のデータの読み出しが行われる。そして、ステップＳ４にて、上記ステップＳ２で検出されたカメラ位置付近に、その時読み出されたデータに対応した画像が再生されるべく投影されるように、表示制御部２１が制御される。
【００１９】
その後、ステップＳ５に於いて、ユーザ３０の操作の有無が判定される。ここで、特に操作されなければ本ルーチンが終了する。一方、何らかの操作がなされたならば、ステップＳ６へ移行して、それぞれの処理動作が行われる。
つまり、タッチパネル１６の押された状態や、押された位置の変化が判定されるが、例えばステップＳ６に於いては、所定画像のダブルクリック（ダブルタップ）が判定される。ここで、ダブルクリックがなされない場合は、後述するステップＳ１０へ移行し、ダブルクリックがなされた場合は、ステップＳ７へ移行して拡大前画像であるか否かが判定される。
【００２０】
ここで、拡大前画像である場合は、ステップＳ９へ移行して拡大表示が行われる。一方、拡大前画像ではない、すなわち拡大後画像と判定された場合には、ステップＳ８へ移行して、縮小表示が行われる。このように、ステップＳ８またはＳ９にて、ユーザ３０が画像拡大によるチェックや鑑賞、画像縮小による整理等、好みの大きさでの扱いができるように工夫されている。これは、制御部２０が表示制御部２１を制御して行うが、全体画面の中で、上述した所定画像が占める割合を大きくして表示すればよい。
【００２１】
ステップＳ１０に於いては、指でテーブル状スクリーン１５上をなぞって、それが所定の画像の位置から別位置にずれていく、すなわち操作位置が移動したか否かが判定される。ここで、移動しなければ後述するステップＳ１２へ移行し、移動される場合は、ステップＳ１１へ移行する。
【００２２】
ステップＳ１１では、その画像を上記別位置に移動させるような表示位置切り替えが行われる。そして、その移動先が、図２に記録領域２６ａとして示されるようなアルバム部であれば、ステップＳ１２に於いて移動先が判定される。ここで、移動先が記録領域２６ａであれば、ステップＳ１３へ移行して記録領域２６ａに画像データが記録される。
【００２３】
図４は、このようにして作成されたアルバムの例を示したものである。ここでは、テーブル型のスクリーン装置の記録部２６に作られた、電子アルバムの表示形態の一例として示している。
このように、移動された画像がテーブル上に載置された簡易アルバム２６ｂのように表示され、全く、紙のアルバムと違いのない表示とすることができる。この場合、ユーザ３０が三角スイッチ部１６ａまたは１６ｂをタッチすると、ページの送り戻りができ、アルバム２６ｂの鑑賞が可能となる。このアルバム２６ｂも、ドラッグ動作でテーブル上の任意の位置に表示位置切り替えが可能である。
【００２４】
また、プリント（ＰＲＩＮＴ）釦１６ｃが押されると、プリント出力吐出口２７ａ（図２参照）から、用紙に記録された画像がプリントアウトされる。
尚、上記ステップＳ１２に於いて記録先が記録領域２６ａでない場合、及びステップＳ１３にて記録終了後は、上記ステップＳ５へ移行して、以降の処理動作が繰り返される。
【００２５】
また、通信部２５の通信方法としては、光通信も考えられるが、指向性がない方が好ましいので、ブルートゥース（登録商標）等、微弱な電波を用いた通信を行う方が好ましい。
更に、タッチパネル１６は、例えば、図５に示されるような構成としてもよい。
【００２６】
すなわち、Ｐ1 〜Ｐ12のような透明電極で構成される複数のスイッチをスクリーン１５上に設け、その何れのスイッチが押されてＯＮされているかを判定するようにしてもよい。つまり、スイッチ制御部４１によって、時系列で順次スイッチ部４２ａ、４２ｂ内の各スイッチをオン／オフしていき、この時通電するか否かを、電流計４３ａの出力結果等で検出部４３ｂが判定検出すれば、何れのスイッチ（何れの場所）が押されているかを判定することができる。
【００２７】
例えば、スイッチＰ1 の位置に指や機器が置かれてスイッチがオンされている場合は、スイッチ部４２ａのスイッチＳ１と、スイッチ部４２ｂのスイッチＳＡがオンした時に、電流計４３ａにて電流が検出される。
ここでは、スイッチＰ1 〜Ｐ12の１２個のスイッチで簡単化したが、実際にはこのようなスイッチが無数に敷き詰められているものとする。
【００２８】
また、上述した表示装置部１１を、図６に示されるような構成としてもよい。
すなわち、表示装置部１１′に於いて、指によって押されると反射が変化するようなパネル１６′をスクリーン１５の上に配置すると共に、プロジェクタ１３の光をスクリーン１５に導くミラーをハーフミラー１４ａまたは波長伝導性のあるミラーで構成する。これにより、上記反射の変化による陰影の変化が、受光レンズ４５を介した撮像素子４６で検出されて、指の位置が検出されるようになっている。
【００２９】
勿論、上述した第１の実施形態による表示装置部１１は、図５に示されるタッチパネルと、図６に示される表示装置部１１′の両方を組み合わせたもので構成されるようにしてもよい。
このようなタッチパネル式スクリーンを利用することによって、機器や指の位置を判定することができる。機器であるか指であるかは、押されている部分の範囲の大きさや形状、或いは上述した通信部２５の通信結果に従って判定される。
【００３０】
つまり、図５に示されるタッチパネルの例では、指であれば押されているスイッチの数が少なく、ドラッグ時等、時間による変化がある。一方、カメラ３１が載置されている場合は、押されているスイッチの数が多く、時間による変化がない上に、通信部２５と所定の通信が成立する。
【００３１】
（第２の実施形態）
次に、本発明の第２の実施形態を説明する。
上述した第１の実施形態では、スクリーン上には１つの機器（カメラ）が載置された場合の例について説明したが、この第２の実施形態では、スクリーン上に複数の機器が載置された場合の例について説明する。
【００３２】
図７は、本発明の第２の実施形態によるデジタルプラットフォーム装置の構成を示した図である。
尚、以下に述べる実施形態に於いては、デジタルプラットフォーム装置の構成及び基本的な動作については、図１乃至図６に示される第１の実施形態と同じであるので、これらの構成及び動作については、同一の部分には同一の参照番号を付して、その図示及び説明は省略するものとし、異なる構成及び動作についてのみ説明する。
【００３３】
例えば、スクリーン１５上に撮影画像データが記録されたカメラ３１と、プリンタ３５が載置されている場合について考える。すると、プリンタ３５から正しい画像プリントを得るためには、送信装置としてのカメラ３１内の画像が、図７に示されるようにスクリーン１５上に表示（画像３３）される。そのうち、選択された１枚（３３ａ）のみが、受信装置としてのプリンタ３５の中に入っていく形式でデータの授受が表示されるので、誤ってユーザが考えていた写真と異なる画像をプリントしてしまうことを防止することができる。
【００３４】
このような実施形態を実現するために、第２の実施形態では、カメラ３１やプリンタ３５が、ワイヤレスでテーブル型スクリーン１５の通信部２５と通信するようにし、該通信部２５と制御部２０との間に機器の種別を判定する機器種別判定部２４ａを設けた構成としている。
【００３５】
これは、各機器が、その機能を示す信号を送信するようにし、位置検出部２３によって、各々の機器の位置が検出できるようにすることによって、簡単に実現することができる。
例えば、図７に示されるような位置にカメラ３１が載置された場合は、その近傍に画像３３が表示される。また、ユーザがその画像３３のうち１枚をドラッグすれば、指の移動に従って画像３３ａのように、場所を移動させる形で表示する。そして、表示制御部２１によるその移動場所が、プリンタ３５の近くまで来たことが判定されれば、ユーザはプリンタ３５でその画像を印刷したいと考えていると判定される。制御部２０は表示制御部２１を介して画像データをプリンタ３５に送信し、プリンタ３５はその送られたデータに対応した画像をプリントアウトする。
【００３６】
また、図７に於いては画像３３ａが示されているだけであるが、プリンタ３５の近傍にもカメラ３１から得た画像を表示することも可能であることは勿論である。
このように、ユーザが選択した写真画像を、間違いなくプリントアウトするには、どの位置にどの画像データを表示したかを制御部２０が常に把握している必要がある。
【００３７】
図８は、第２の実施形態のデジタルプラットフォーム装置による画像データ表示動作を説明するフローチャートである。以下、このフローチャートを参照して、その画像表示位置把握の方法について説明する。
先ず、ステップＳ２１にて、サブルーチン“カメラ位置検出ＰC ”が実行され、続いてステップＳ２２にてサブルーチン“プリンタ位置検出ＰP ”が実行される。尚、これらのステップＳ２１及びＳ２２の各サブルーチンの詳細については後述する。
【００３８】
次いで、ステップＳ２３にて、検出されたカメラ３１の位置ＰC の前方Ｌのスクリーン位置Ｐ1 〜Ｐ3 に、図７に示されるように、カメラ３１から読み出された画像データが再生されて、画像３３が３枚並べられる。更に、続くステップＳ２４にて、その前方の距離Ｌの位置Ｐ4 〜Ｐ6 に、別の撮影画像が表示される。尚、この距離Ｌは、画像の縦サイズ相当である。
【００３９】
このように、制御部２０では、先ずカメラ位置が考慮されて、表示位置が決定されている。
次に、ステップＳ２５に於いて、この表示位置上に押圧があったか否かが判定される。ここで、上記押圧がほぼ指の先端の大きさや形状に相当する場合、表示位置に指の押圧があったと判定されて、ステップＳ２６へ移行する。この押圧部分は逐次モニタされているもので、ステップＳ２６に於いて、それが移動したか否かが判定される。
【００４０】
上記ステップＳ２６で画像の移動が無い場合、または上記ステップＳ２５にて押圧が無い場合は、上記ステップＳ２５へ移行する。これに対し、上記ステップＳ２５で押圧が有り、ステップＳ２６で画像が移動したと判定された場合は、ステップＳ２７へ移行して、上記移動に従って、その部分に表示されていた画像も移動される。そして、続くステップＳ２８にて、移動のたびに何れの画像が何れの位置Ｐ7 にずらされて表示されているかが、対応付けられる。
【００４１】
この対応付けの結果、ステップＳ２９に於いて、その位置と上記ステップＳ２１で検出されたプリンタ位置ＰP が所定の距離範囲内であるか否かが判定される。ここで、上記所定の距離範囲内に無い場合は上記ステップＳ２５へ移行する。一方、上記所定距離内にプリンタ位置ＰP がある場合には、ステップＳ３０へ移行する。
【００４２】
ステップＳ３０では、画像３３ａがプリンタ３５の中に吸い込まれて入っていくようなイメージを表現するために、表示位置シフトが行われる。次いで、ステップＳ３１にて、その表示画像に対応するデジタル画像データがプリンタ３５に入力される。更に、ステップＳ３２では、プリンタ３５に入力された画像をプリントアウトする命令が送信される。これによって、プリンタ３５は、送信されてきた画像データを画像として印刷する。
【００４３】
このように、ユーザは、カメラの中の撮影画像データのうち、気に入ったものを、あたかもそこに写真があるような感覚で選択して、確実にプリンタから画像をプリントアウトすることができる。
次に、図９を参照して、第２の実施形態によるデジタルプラットフォーム装置に於ける各機器の検出の方法について説明する。
【００４４】
テーブル型スクリーン装置１０のタッチパネル式のスクリーン１５上に、底面が四角形状でΔｘc ×Δｙc のカメラ３１が載置されると、その範囲（Δｘc ×Δｙc）でタッチパネルが押される。例えば、図５に示される構成のスイッチで説明すると、その底面に基づいてスイッチがオンされるので、このオンされたスイッチの範囲から、図１０のフローチャートに従ってカメラの位置を検出することができる。
【００４５】
図１０は、図８のフローチャートのステップＳ２１に於けるサブルーチン“カメラ位置検出ＰC ”の動作を説明するフローチャートである。
本サブルーチンに入ると、先ず、ステップＳ４１にて、オンされたスイッチＰ1 〜Ｐ12のうち、上記Δｘc ×Δｙcの範囲でオンされている部分が検出される。そして、ステップＳ４２に於いて、上記範囲内でオンされている部分の有無が判定される。ここで、オンされている部分が無ければ上記ステップＳ４１へ移行する。一方、オンされている部分があったならば、ステップＳ４３へ移行する。
【００４６】
このステップＳ４３では、そのオンされたスイッチ範囲のうち、重心位置座標ｘc ，ｙc が、カメラ位置ＰC とされる。但し、このスイッチ範囲に載置されたものがカメラ以外の箱である可能性もあるので、続くステップＳ４４に於いて、通信部２５がカメラ３１と適切なハンドシェイクとされたか否かが確認される。
【００４７】
ここで、カメラでないと判定された場合は、上記ステップＳ４１へ移行する。一方、カメラであると判定された場合は、ステップＳ４５へ移行してカメラ位置ＰC が決定される。その後、本サブルーチンを抜ける。
また、プリンタ３５は、例えば図９に示されるように、その底面に４箇所、脚部３５ａが設けられており、その幅と奥行きがΔｘp 、Δｙp ならば、その各件を満たすパネル上押圧部があるか否かで、プリンタ位置が判定される。
【００４８】
図１１は、図８のフローチャートのステップＳ２２に於けるサブルーチン“プリンタ位置検出ＰP ”の動作を説明するフローチャートである。
本サブルーチンに入ると、先ず、ステップＳ５１に於いて、４つの脚部３５ａの押圧条件の有無が判定される。ここで、４箇所の押圧部がある場合は、続くステップＳ５２に於いて、脚部３５ａの距離が所定条件を満たしているか否かが判定される。ここで、上記ステップＳ５１で４箇所の押圧部が無い場合、または上記ステップＳ５２にて脚部３５ａの距離が所定条件を満たしていない場合は、上記ステップＳ５１へ移行する。
【００４９】
一方、上記ステップＳ５１及びＳ５２にて、４箇所の押圧部が有り、且つ、脚部３５ａの距離が所定条件を満たしている場合は、ステップＳ５３へ移行する。このステップＳ５３では、上記４箇所の脚部３５ａを四つの角とする四角形の重心位置の座標ｘp 、ｙp が検出され、その位置がプリンタの位置とされる。
【００５０】
但し、図１０のフローチャートのステップＳ４４と同様に、上記重心位置に載置されたものがプリンタでない場合もあるので、ステップＳ５４に於いて、プリンタと通信可能であるか否かが判定される。その結果、通信可能であれば、プリンタに間違いないとして、ステップＳ５５に移行し、プリンタ位置ＰP が確定される。一方、上記ステップＳ５４にてプリンタでないと判定された場合は、上記ステップＳ５１へ移行する。
【００５１】
尚、ここでは、カメラとプリンタを例として説明したが、カメラから大容量記録手段であるストレージに画像入力する場合や、カメラのデータをプロジェクタ等で投影表示するような場合も、同様の方法で、位置検出と通信を駆使してデータの授受を確実に行うことができる。
【００５２】
例えば、図１２に示されるように、送信装置であるストレージ５０に蓄積されている画像を、受信装置であるプロジェクタ５１によってスクリーン上に表示し、適宜、プロジェクタ５１で画像５２を拡大撮影することもできる。この場合、例えばスクリーン上に表示される画像３３は、ストレージ５０の近傍であって、プロジェクト５１の近傍であってもよい。或いは、ストレージ５０及びプロジェクト５１の両者の近傍に表示されるようにしてもよい。
【００５３】
また、図９乃至図１１に示されるカメラ位置検出及びプリンタ位置検出では、タッチパネル機能を利用したが、スクリーン上の個々の機器を区別するには、次のような例も考えられる。
すなわち、図１３（ａ）に示されるように、カメラ３１等の下面部に、２次元バーコード３１ａを設けてもよい。また、図１３（ｂ）に示されるように、カメラ３１の下面部に、ＩＣタグ３１ｂを設けてもよい。更には、図１３（ｃ）に示されるように、カメラ３１の下面部に、赤外線通信器３１ｃを設けるようにしてもよい。
【００５４】
このように、種々の応用変形例が考えられる。
図１４は、例えば、図１３（ａ）に示されるような、バーコード３１ａを読み取るタイプのデジタルプラットフォーム装置に於けるカメラの位置検出システムの構成例を示した図である。
ここでは、スクリーン１５ａをＬＣＤで構成し、ＬＣＤ制御回路１５ｂによって、このＬＣＤを透過または光拡散式のスクリーン１５ａを電気的に切り替え可能なようにしている。つまり、カメラ３１の下面部のバーコードの読み取り時には、ＬＣＤ１５ａを透過にし、プロジェクタ１３の光をハーフミラー１４でバーコード３１ａに照射する。そして、その反射光を受光レンズ４５とモニタ用撮像素子（センサ）４６で検出するようにしている。
【００５５】
図１５は、こうした構成のカメラの位置検出システムによるバーコード検出の動作を説明するフローチャートである。
本ルーチンに入ると、先ず、ステップＳ６１にてＬＣＤ１５ａが透過にされる。次いで、ステップＳ６２にて、プロジェクタ１３から均一な光が投射されると、ハーフミラー１４ａで反射されてカメラ３１の下面部に配置されたバーコード３１ａに導かれる。
【００５６】
そして、ステップＳ６３にて、バーコード３１ａで反射された光がハーフミラー１４ａを透過し、受光レンズ４５を介して撮像素子４６によって読み取られる。これにより、カメラ３１の位置が検出される。ここで、ステップＳ６４にて、通信部（図１参照）によってカメラ３１と通信が行われる。
【００５７】
次いで、ステップＳ６５では、プロジェクタ１３の出力画像が表示可能なように、ＬＣＤ制御回路１５ｂによって、ＬＣＤ１５ａが光拡散モードに切り替えられる。その後、ステップＳ６６にて、カメラ３１の近傍にカメラ３１内の画像を再生表示するべくプロジェクタ１３から投影される。
【００５８】
以上説明したように、第２の実施形態によれば、画像データ用の電波による通信手段以外に機器を検出するコード検出によって、より正確に機器情報とその位置を判定することができる。
また、上述した第１及び第２の実施形態では、表示機能付きのテーブルの上に機器を載置した例で説明したが、これに限られるものではない。
【００５９】
例えば、図１６に示されるように、フラットパネルディスプレイ１０ａを一般的なテーブル１０ｂ上に立てる。この状態で、テーブル１０ｂ上にカメラ３１やプリンタ３５が載置されると、通信部２５ａ及び２５ｂによって各々の機器が判定される。すると、カメラ３１の内部メモリに記録されている画像データは、フラットパネルディスプレイ１０ａ上の仮想テーブル１０ｃ上に、画像３３として図示の如く表示される。
【００６０】
このように構成しても、上述した第１及び第２の実施形態と同様の効果を得ることも可能である。この例では、特別なテーブル構成のディスプレイを用いなくとも、本発明の目的を達成することができる。
上述した実施形態によれば、機器に入っている画像を直接的に表示することができ、画像データ転送時には、その転送経過に、当該画像をユーザに明示することができるので、画像信号の取り扱いを失敗することなく、確実な送信、受信が可能となる。
【００６１】
以上、本発明の実施形態について説明したが、本発明は上述した実施形態に限定されるものではなく、本発明の要旨を逸脱しない範囲で種々の変形実施が可能であるのは勿論である。
【符号の説明】
【００６２】
１０…テーブル型スクリーン装置、１１…表示装置部、１３…プロジェクタ、１４…ミラー、１４ａ…ハーフミラー、１５…スクリーン、１６…タッチパネル、１６ａ、１６ｂ…三角スイッチ部、２０…制御部、２１…表示制御部、２３…位置検出部、２４…操作判定部、２５…通信部、２６…記録部、２６ａ…記録領域、２６ｂ…アルバム、２７…プリンタ、２７ａ…プリント出力吐出口、３０…ユーザ、３１…カメラ、３３…画像、３５…プリンタ、４１…スイッチ制御部、４２ａ、４２ｂ…スイッチ部、４３ａ…電流計、４３ｂ…検出部、４５…受光レンズ、４６…撮像素子。
【図１】
2011238243.tif 000003
【図２】
2011238243.tif 000004
【図３】
2011238243.tif 000005
【図４】
2011238243.tif 000006
【図５】
2011238243.tif 000007
【図６】
2011238243.tif 000008
【図７】
2011238243.tif 000009
【図８】
2011238243.tif 000010
【図９】
2011238243.tif 000011
【図１０】
2011238243.tif 000012
【図１１】
2011238243.tif 000013
【図１２】
2011238243.tif 000014
【図１３】
2011238243.tif 000015
【図１４】
2011238243.tif 000016
【図１５】
2011238243.tif 000017
【図１６】
2011238243.tif 000018